(57)【要約】【課題】視覚だけでなく、操作感によって、筆記体の相違を判断できる、スライド式の多芯筆記具を提供する。【解決手段】軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向に前進操作することによって、スライド部材に形成した係止部を、軸筒後端部に一体または付設部材に形成した、前記スライド部材の係止部に対応する被係止部に係止させ、筆記体の先端部を軸筒先端開口部より突出するスライド式の多芯筆記具において、前記スライド部材の係止部に対応する被係止部の軸筒後端から長さを筆記体によって相違させ、前記筆記体の先端部が没入状態から突出状態にするまでの、前記隆起部を操作する操作距離を、筆記体により相違させる。【選択図】        図５
2004358725.tif 000002
【特許請求の範囲】
【請求項１】
軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向に前進操作することによって、スライド部材に形成した係止部を、軸筒後端部に一体または付設部材に形成した、前記スライド部材の係止部に対応する被係止部に係止させ、筆記体の先端部を軸筒先端開口部より突出するスライド式の多芯筆記具において、前記スライド部材の係止部に対応する被係止部の軸筒後端から長さを筆記体によって相違させ、前記筆記体の先端部が没入状態から突出状態にするまでの、前記隆起部を操作する操作距離を、筆記体により相違させたことを特徴とするスライド式の多芯筆記具。
【請求項２】
前記各隆起部を操作する操作荷重が異なることを特徴とする請求項１に記載のスライド式の多芯筆記具。
【発明の詳細な説明】
【０００１】
【発明の属する技術分野】
本発明は、軸筒内に、複数の筆記体を配設してなるスライド式の多芯筆記具に関する。
【０００２】
【従来の技術】
従来から、特開２００１−２３９７９１号公報「スライド式の多芯筆記具」に開示されているように、軸筒内に、複数の筆記体を配設し、各筆記体の後端に、コイルスプリングにより軸筒後端方向に付勢して配設したスライド部材を、各スライド部材に形成した隆起部が、軸筒後端部に形成した窓部より突出した状態で、摺動自在に収納し、一方の隆起部を軸筒先端方向に前進せしめることで、一方のスライド部材に形成した係止部が、軸筒後端部に形成した一方の被係止部に係止することで、一方の筆記体の先端部を軸筒先端開口部より突出し、他方の隆起部を軸筒先端方向に前進せしめることで、他方のスライド部材に形成した解除突起が、一方のスライド部材に当接し、被係止部に係止していた一方の係止部の係止を解除し、さらに他方の隆起部を軸筒先端方向に前進せしめ、他方の係止部を軸筒後端部に形成した他方の被係止部に係止することで、他方の筆記体の先端部を軸筒先端開口部より突出可能なスライド式の多芯筆記具はよく知られている。
【０００３】
こうしたスライド式の多芯筆記具は、インキの種類や色、ボール径、或いはシャープペンシルとボールペン等、種類の異なる複数の筆記体を配設しているため、インキ色と同色のスライド部材を用いたり、ボール径を表示する等、筆記体の相違を視覚的に判断するようにしていた。
【０００４】
ところで、近年、ユニバーサルデザインに代表される、誰もが使用し易い筆記具が注目及び要求されていて、こうした中、スライド式の多芯筆記具においては、スライド部材に形成した隆起部の形状を変更することにより、視覚だけでなく、触覚的に筆記体の相違を判断するスライド式の多芯筆記具が市販されている。
【０００５】
【特許文献１】
「特開２００１−２３９７９１号公報」
【０００６】
【発明が解決しようとする課題】
しかし、隆起部は、筆記体を出没させる操作体であるため、隆起部の形状によっては、指に触れた時の感触が悪くなったり、操作性に問題を生じる恐れがあったり、隆起部全体の形状は相違していても、指が当接する部分だけでは、形状の相違が判断しにくい等の問題があった。
【０００７】
本発明の目的は、視覚だけでなく、操作感によって、筆記体の相違を判断できる、スライド式の多芯筆記具を提供することにある。
【０００８】
【課題を解決するための手段】
本発明は前記目的を達成するために、軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向に前進操作することによって、スライド部材に形成した係止部を、軸筒後端部に一体または付設部材に形成した、前記スライド部材の係止部に対応する被係止部に係止させ、筆記体の先端部を軸筒先端開口部より突出するスライド式の多芯筆記具において、前記スライド部材の係止部に対応する被係止部の軸筒後端から長さを筆記体によって相違させ、前記筆記体の先端部が没入状態から突出状態にするまでの、前記隆起部を操作する操作距離を、筆記体により相違させる。
【０００９】
また、前記各隆起部を操作する操作荷重が異なる。
【００１０】
本発明において、操作荷重とは、隆起部を操作して筆記先端部が突出状態を維持させるのに必要な操作荷重で、筆記体を軸筒の後端方向に付勢しているスプリングを縮める荷重と、操作時に生じる部品間の摩擦力とを総合した荷重である。操作荷重は、スプリングの弾発力に左右されるところが大きいので、現実問題としては、スプリングの弾発力を選定することにより、操作荷重を設定すればよい。
【００１１】
【発明の実施の形態】
本発明の実施の形態を、図面を用いて説明する。同部材、同箇所を示すものに対しては、同符号を付してある。
本発明のスライド式の多芯筆記具１は、前軸２の後端部に後軸３を螺着して軸筒本体を形成し、後軸３内に配設した区画室１８の摺動孔１８ａに、２本の種類の異なる筆記体Ａ、Ｂを連通させ、コイルスプリング１６、１７により軸筒後端３ａ後方に付勢させ収納してある。筆記体Ａは、黒色の油性インキ（図示せず）をインキ収容筒１９の先端開口部に、ボールを回転自在に抱持したチップ部材からなる筆記先端部２０を圧入装着してある。筆記体Ｂは、黒色の剪断減粘性を付与したインキ（図示せず）を収容したインキ収容筒２１の先端開口部に、ボールを回転自在に抱持したチップ部材からなる筆記先端部２３を、チップホルダー２２を介して圧入装着してある。また、インキ収容筒１９、２１の後端開口部には、操作体となるスライド部材５、１１の先端部を圧入装着し、このスライド部材５、１１の隆起部６、１２が後軸３に形成した窓部４、１０から後軸３の外周面より突出した状態に保持してある。
【００１２】
筆記体Ａを使用する際には、隆起部６を軸筒先端開口部２ａ方向に前進せしめることで、スライド部材５の係止部７が後軸３に形成した、係止部７に対応した被係止部９に係止することにより、筆記体Ａの筆記先端部２０を軸筒先端開口部２ａから突出した状態を維持させて使用する。この状態から筆記体Ｂを使用する場合には、スライド部材１１の隆起部１２を軸筒先端開口部２ａ方向に前進せしめることで、スライド部材１２の解除突起１４が、被係止部７に係止しているスライド部材５に当接し、係止部７を押し出し、スライド部材５の係止を解除させ、コイルスプリング１６の弾発力によって元の状態に戻る。さらに隆起部１２を軸筒先端開口部２ａ方向に前進せしめることで、スライド部材１１の係止部１３が、対応した被係止部１５に係止して、筆記体Ｂの筆記先端部２３を突出した状態を維持させて使用することができる。
【００１３】
また、スライド部材１１の係止部１３が後軸３に形成した、被係止部１５に係止させ、筆記体Ｂの筆記先端部２３を軸筒先端開口部２ａから突出した状態を維持させている状態から、スライド部材５の隆起部６を軸筒先端開口部２ａ方向に前進せしめることで、スライド部材５の解除突起８が、被係止部１５に係止しているスライド部材１１に当接し、係止部１３を押し出し、スライド部材１１の係止を解除させ、コイルスプリング１７の弾発力によって元の状態に戻る。
【００１４】
後軸３に形成した被係止部９、１５は、各筆記体に付設したスライド部材５、１１の係止部７、１３に対応させて形成してあり、軸筒後端から被係止部９まで長さＬ、軸筒後端から係止部１５まで長さＭを相違させている。（Ｌ＜Ｍ）同様に、後軸３に形成した窓部４、１０の軸方向の長さを相違させてある。また、スライド部材５、１１の全長や解除突起８、１４の位置も、軸筒後端から被係止部９まで長さＬ、軸筒後端から係止部まで長さＭによって、係止及び解除が対応できるように形成してある。
【００１５】
その結果、筆記体Ａを使用する時に、隆起部６を軸筒先端開口部２ａ方向に前進せしめ、スライド部材５の係止部７が、後軸３に形成した被係止部９に係止するまでの操作距離Ｌ’と、筆記体Ｂを使用する時に、隆起部１２を軸筒先端開口部２ａ方向に前進せしめ、スライド部材１１の係止部１３が、後軸３に形成した被係止部１５に係止するまでの操作距離Ｍ’が相違（Ｌ’＜Ｍ’）しているので、筆記体Ａ、Ｂの違いを、操作距離によって判断することができる。
【００１６】
また、筆記体Ａ、Ｂを、軸筒後端方向に付勢するコイルスプリング１６、１７の弾発力を相違させることにより、隆起部６、１２を軸筒先端開口部２ａ方向に前進させる時の操作荷重も相違するため筆記体Ａ、Ｂの違いを判断しやすい。
【００１７】
スライド式の多芯筆記具は、複数の筆記体を収納しているため、目的によって色やボール径を変更できるので非常に便利であるが、例えば、青色、赤色、黒色の３色ボールペンにおいて、青色や赤色に比べ、黒色の使用頻度が高い等、使用者によって、各筆記体の使用頻度が異なっているため、使用頻度が高い筆記具に対応するスライド部材の操作距離を短く、且つ操作荷重を小さく設定するほうが好ましい。
【００１８】
本実施の形態では、便宜上、軸筒内に被係止部や窓部を形成しているが、被係止部や窓部を形成した付設部材を軸筒に付設してもよい。
【００１９】
また、本発明のスライド式の多芯筆記具は、前述したボールペン２本の多芯筆記具に限定されるものではなく、ボールペン３本や４本、あるいはシャープペンシルとボールペンなど、複数の筆記体を配設してなるスライド式の多芯筆記具に用いることができる。
【００２０】
【発明の効果】
本発明は、前述したような構成なので、視覚だけでなく、操作感によって、筆記体の相違を判断できる、スライド式の多芯筆記具を提供することができた。
【図面の簡単な説明】
【図１】第一の実施の形態におけるスライド式の多芯筆記具を示す縦断面図である。
【図２】図１における筆記体Ａを突出した状態を示す縦断面図である。
【図３】図１における筆記体Ｂを突出した状態を示す縦断面図である。
【図４】図１における一部を省略した図である。
【図５】スライド部材の移動状態を示す一部を省略した要部拡大断面図である。
【符号の説明】
１  スライド式の多芯筆記具
２  前軸
２ａ  先端開口部
３  後軸
３ａ  軸筒後端
４、１０  窓部
５、１１  スライド部材
６、１２  隆起部
７、１３  係止部
８、１４  解除突起
９、１５  被係止部
１６、１７  コイルスプリング
２０、２３  筆記先端部
Ｌ、Ｍ  軸筒後端から被係止部までの距離
Ｌ’、Ｍ’  隆起部を操作する操作距離
【図１】
2004358725.tif 000003
【図２】
2004358725.tif 000004
【図３】
2004358725.tif 000005
【図４】
2004358725.tif 000006
【図５】
2004358725.tif 000007